(57)【要約】【課題】  遊技の内部の清掃を行う際の作業の効率の向上を図る。【解決手段】  メイン制御基盤３８は、反射型センサ３９で受光した光の照度が予め設定された値に達しなくなった場合に表示窓１３の汚れを検出し、ブラシ３４を待避位置から突出位置に移動させ、ブラシ４１を接触位置から接触不能位置に移動させる。これにより、遊技が行われると同時に表示窓１３の内周面の清掃が行われるため、表示窓１３を常に清潔に保つことができる。【選択図】        図３
2005237445.tif 000002
【特許請求の範囲】
【請求項１】
外周面に複数の図柄が配列されたリールテープを有し、回転自在に設けられた円環状のリールと、前記リールが内部に収納される筐体とを備えた遊技機において、
前記リールとともに回転するように前記リールの内側に設けられ、前記筐体の内周面に接触して前記内周面を清掃する筐体清掃部材と、
前記リールテープの前記筐体清掃部材と対面する部分に形成された孔から前記筐体清掃部材が突出し、前記筐体清掃部材が前記内周面に接触することが可能になる突出位置と、前記突出位置から退避して前記筐体清掃部材が前記内周面に接触することが不可能になる退避位置との間で前記筐体清掃部材を移動させる筐体清掃用駆動装置と、
前記筐体清掃部材が突出位置又は退避位置に移動するように前記筐体清掃用駆動装置を制御する制御装置とを設けたことを特徴とする遊技機。
【請求項２】
前記内周面の汚れを検知する汚れ検知センサを設け、前記制御装置は、前記汚れ検知センサが汚れを検知しなくなった場合には、前記筐体清掃部材を退避位置に移動させるように前記筐体清掃用駆動装置を制御し、前記汚れ検知センサが汚れを検知した場合には、前記筐体清掃部材を突出位置に移動させるように前記筐体清掃用駆動装置を制御することを特徴とする請求項１記載の遊技機。
【請求項３】
前記筐体清掃部材を退避位置から突出位置に移動させるための操作部を設け、前記制御装置は、前記操作部が操作された場合に前記筐体清掃部材を退避位置から突出位置に移動させ、前記リールの回転が停止した場合に前記筐体清掃部材を退避位置から突出位置に移動させることを特徴とする請求項１又は２記載の遊技機。
【請求項４】
前記遊技機の電源のオン又はオフを行う電源スイッチを設け、前記制御装置は前記電源スイッチがオンにされた場合に前記筐体清掃部材を退避位置から突出位置に移動させることを特徴とする請求項１〜３のいずれかに記載の遊技機。
【請求項５】
前記リールテープの外周面に接触して前記外周面を清掃するリール清掃部材と、前記リール清掃部材が前記外周面に接触することが可能になる接触位置と、前記接触位置から退避して前記外周面に接触することが不可能になる接触不能位置との間で前記リール清掃部材を移動させるリール清掃用駆動装置とを設け、
前記制御装置は、前記筐体清掃部材を退避位置に移動させたときには、前記リール清掃部材を接触位置に移動させるように前記筐体清掃用駆動装置及び前記リール清掃用駆動装置を制御し、前記リール清掃部材を接触不能位置に移動させたときには、前記筐体清掃部材を突出位置に移動させるように前記筐体清掃用駆動装置及び前記リール清掃用駆動装置を制御することを特徴とする請求項１〜４のいずれかに記載の遊技機。
【発明の詳細な説明】
【技術分野】
【０００１】
本発明は、スロットマシン、パチンコ機等の遊技機に関するものである。
【背景技術】
【０００２】
本明細書中ではパチスロ機を例に挙げて説明しているため、遊技媒体としてメダルを用いて説明するが、遊技媒体としてはコインやパチンコ玉など他の媒体も含む。また、「メダル（遊技媒体）投入」には、実際にメダル投入口にメダルを投入することの他に、クレジットされたメダルをベットボタンなどによりベットすることを含む。さらに、図柄を入賞有効ライン上に揃えた状態を入賞、入賞となる前の状態で、当選役を決定する抽選（以下、当選役抽選と称する）により当選役が抽選されている状態を内部入賞とする。
【０００３】
パチンコ店などの遊技場に設置して使用されるスロットマシンはパチスロ機と称され、その遊技媒体となっているメダルに一定の価値が与えられて、遊技を行って獲得したメダルを種々の景品に交換することができる。
【０００４】
パチスロ機では、遊技の開始に先立ってメダルを投入し、スタートレバーを操作すると３個のリールが一斉に回転を開始する。そして、それぞれのリールに対応して設けられたストップボタンを順次押下していくと、対応するリールの回転が停止するようになっている。リールは、円環状のフレーム及びこのフレームに巻かれたリールテープを有しており、リールテープの外周面には複数種類の図柄が配列されている。リールは箱形の筐体の内部に収納されており、筐体の前面側には回動自在な前面扉が設けられている。前面扉には、外部からリールを視認可能な表示窓がリールの前方に位置するように配置して設けられている。これにより、遊技者は表示窓を通して図柄を観察しながら遊技を行うことが可能になり、遊技を行った結果、当選役が入賞したか否か認識することができる。
【発明の開示】
【発明が解決しようとする課題】
【０００５】
ところで、表示窓は透明であるため、付着した汚れが目立ちやすく、また、表示窓に汚れが付着していると、遊技者に不快感を与えるばかりか、図柄の観察が困難になって遊技に支障をきたすこともあるため、表示窓の清掃は頻繁に行う必要がある。しかしながら、表示窓の内周面を清掃するには、前面扉を開放する必要があるため、清掃を行うには手間がかかり、また、遊技者が遊技を行っている最中に表示窓の清掃を行うには、遊技を一旦中断させなければならない。これらのことは、遊技場の従業員が表示窓の清掃を行う際の作業の効率を悪化させる原因となっていた。
【０００６】
本発明は、遊技の内部の清掃を行う際の作業の効率の向上を図ることができる遊技機を提供することを目的とする。
【課題を解決するための手段】
【０００７】
本発明の遊技機は、外周面に複数の図柄が配列されたリールテープを有し、回転自在に設けられた円環状のリールと、前記リールが内部に収納される筐体とを備えた遊技機において、前記リールとともに回転するように前記リールの内側に配置して設けられ、前記筐体の内周面に接触して前記内周面を清掃する筐体清掃部材と、前記リールテープの前記筐体清掃部材と対面する部分に形成された孔から前記筐体清掃部材が突出し、前記筐体清掃部材が前記内周面に接触することが可能になる突出位置と、前記突出位置から退避して前記筐体清掃部材が前記内周面に接触することが不可能になる退避位置との間で前記筐体清掃部材を移動させる筐体清掃用駆動装置と、前記筐体清掃部材が突出位置又は退避位置に移動するように前記筐体清掃用駆動装置を制御する制御装置とを設けたものである。
【０００８】
また、前記内周面の汚れを検知する汚れ検知センサを設け、前記制御装置は、前記汚れ検知センサが汚れを検知しなくなった場合には、前記筐体清掃部材を退避位置に移動させるように前記筐体清掃用駆動装置を制御し、前記汚れ検知センサが汚れを検知した場合には、前記筐体清掃部材を突出位置に移動させるように前記筐体清掃用駆動装置を制御することが好ましい。
【０００９】
また、前記筐体清掃部材を退避位置から突出位置に移動させることを指示する操作部を設け、前記制御装置は、前記操作部が操作された場合に、前記筐体清掃部材を退避位置から突出位置に移動させ、前記リールの回転が停止した場合に前記筐体清掃部材を退避位置から突出位置に移動させることが好ましい。
【００１０】
また、前記遊技機の電源のオン又はオフを行う電源スイッチを設け、前記制御装置は前記電源スイッチがオンにされた場合に前記筐体清掃部材を退避位置から突出位置に移動させることが好ましい。
【００１１】
また、前記リールテープの外周面に接触して前記外周面を清掃するリール清掃部材と、前記リール清掃部材が前記外周面に接触することが可能になる接触位置と、前記接触位置から退避して前記外周面に接触することが不可能になる接触不能位置との間で前記リール清掃部材を移動させるリール清掃用駆動装置とを設け、前記制御装置は、前記筐体清掃部材を退避位置に移動させたときには、前記リール清掃部材を接触位置に移動させるように前記筐体清掃用駆動装置及び前記リール清掃用駆動装置を制御し、前記リール清掃部材を接触不能位置に移動させたときには、前記筐体清掃部材を突出位置に移動させるように前記筐体清掃用駆動装置及び前記リール清掃用駆動装置を制御することが好ましい。
【発明の効果】
【００１２】
本発明の遊技機は、リールとともに回転するように前記リールの内側に配置して設けられ、筐体の内周面に接触して前記内周面を清掃する筐体清掃部材と、リールテープの前記筐体清掃部材と対面する部分に形成された孔から前記筐体清掃部材が突出し、前記筐体清掃部材が前記内周面に接触することが可能になる突出位置と、前記突出位置から退避して前記筐体清掃部材が前記内周面に接触することが不可能になる退避位置との間で前記筐体清掃部材を移動させる筐体清掃用駆動装置と、前記筐体清掃部材が突出位置又は退避位置に移動するように前記筐体清掃用駆動装置を制御する制御装置とを設けたので、遊技機の前面扉を開放することなく、遊技機の内部を清掃することが可能になり、遊技機の内部の清掃を行う際の作業の効率の向上を図ることができる。
【００１３】
また、前記内周面の汚れを検知する汚れ検知センサを設け、前記制御装置は、前記汚れ検知センサが汚れを検知しなくなった場合には、前記筐体清掃部材を退避位置に移動させるように前記筐体清掃用駆動装置を制御し、前記汚れ検知センサが汚れを検知した場合には、前記筐体清掃部材を突出位置に移動させるように前記筐体清掃用駆動装置を制御するので、遊技機の内部の汚れを検知して清掃を行うことが可能になり、遊技機の内部に汚れが付着したか否かを確認する作業を省くことができる。また、遊技機の内部を清潔に保つことにより、塵やほこりなどによる遊技機が故障することを防止できる。
【００１４】
また、前記筐体清掃部材を退避位置から突出位置に移動させることを指示する操作部を設け、前記制御装置は、前記操作部が操作された場合に、前記筐体清掃部材を退避位置から突出位置に移動させ、前記リールの回転が停止した場合に前記筐体清掃部材を退避位置から突出位置に移動させるので、任意のタイミングで遊技機の内部を清掃することが可能になり、作業の自由度を高めることができる。
【００１５】
また、前記遊技機の電源のオン又はオフを行う電源スイッチを設け、前記制御装置は前記電源スイッチがオンにされた場合に前記筐体清掃部材を退避位置から突出位置に移動させるので、例えば遊技場の開店前に電源をオンすれば、複数の遊技機の内部を一斉に清掃することが可能になり、遊技機の内部を清潔にした状態で遊技を行わせることができる。
【００１６】
また、前記リールテープの外周面に接触して前記外周面を清掃するリール清掃部材と、前記リール清掃部材が前記外周面に接触することが可能になる接触位置と、前記接触位置から退避して前記外周面に接触することが不可能になる接触不能位置との間で前記リール清掃部材を移動させるリール清掃用駆動装置とを設け、前記制御装置は、前記筐体清掃部材を退避位置に移動させたときには、前記リール清掃部材を接触位置に移動させるように前記筐体清掃用駆動装置及び前記リール清掃用駆動装置を制御し、前記リール清掃部材を接触不能位置に移動させたときには、前記筐体清掃部材を突出位置に移動させるように前記筐体清掃用駆動装置及び前記リール清掃用駆動装置を制御するので、リールテープの外周面を清潔に保つことが可能になり、図柄の視認性を向上させることができる。
【発明を実施するための最良の形態】
【００１７】
図１に示されたスロットマシン１０には、収納箱１１と前面扉１２とからなる筐体１０ａが設けられている。前面扉１２には表示窓１３が設けられ、表示窓１３の奥に第１リール１４、第２リール１５、第３リール１６が回転自在に組み込まれている。周知のように、第１〜第３リール１４〜１６の外周には複数種類の図柄が一定ピッチで配列され、リールが停止した状態では表示窓１３を通して１リール当たり３個の図柄が観察可能になる。これにより、各リールの図柄を１個ずつ組み合わせた直線状の入賞有効ラインが横３本斜め２本の合計５本が設定される。
【００１８】
遊技の開始に先立ってメダル投入口１７から１枚のメダルを投入したときには中央の横１本の入賞有効ラインが有効化され、２枚では横３本、３枚ではさらに斜め２本を加えた５本の入賞有効ラインが有効化される。また、メダルは５０枚を限度にクレジット（貯留）することが可能になっており、クレジットされているメダルの枚数は、クレジット枚数表示器１８により表示される。なお、表示窓１３から１リール当たり例えば４個ずつの図柄を観察できるようにしておき、横４本の入賞有効ラインのほかに、各リールごとに図柄を一個ずつ組み合わせるように折れ曲がった別の入賞有効ラインを設定することも可能である。
【００１９】
スタートレバー１９は遊技の開始操作を行うものであり、これを操作すると、第１〜第３リール１４〜１６が回転を開始する。ストップボタン２０〜２２は第１〜第３リール１４〜１６に個別に対応しており、ストップボタン２０〜２２の操作に応じて、回転している第１〜第３リール１４〜１６が個別に停止される。ストップボタン２０〜２２の上方の操作パネルには、メダルがクレジットされた状態で遊技を行うときに操作される１ベットボタン、ＭＡＸベットボタン、ペイアウトボタンなどの各種の操作ボタンが設けられている。これらの操作ボタンの機能はいずれも周知であるのでその詳細については省略する。
【００２０】
前面扉１２の下部にはメダル受け皿２３が設けられており、このメダル受け皿２３には、遊技で入賞が得られたときに得られる配当メダルが払い出し口２４から払い出される。
【００２１】
図２に示すように、筐体１０ａ内には、スロットマシン１０に電源を供給するための電源ボックス２５が設けられている。電源ボックス２５は箱形状に形成されており、その前面にスロットマシン１０の電源のオン又はオフを切り替える電源スイッチ２５ａが設けられている。なお、電源ボックス２５の前面には電源スイッチ２５ａ以外にもペイアウト率（設定）の変更するための操作部が設けられている。
【００２２】
次に、第１〜第３リール１４〜１６について説明するが、第１〜第３リール１４〜１６はそれぞれ同じ構造であるため、第１リール１４を例に挙げて説明する。
【００２３】
図３に示すように、第１リール１４は、円環状のフレーム３０とフレーム３０に巻かれたリールテープ３１とを備えている。フレーム３０は例えばプラスチックなどの樹脂により形成されている。フレーム３０の内側には、その幅方向の一方の端部に位置するように４本のスポーク３０ａが形成されている。フレーム３０は、図示しないモータの軸（図中に破線で示された円）に接続されている。このモーターとしては、入力されるパルス数に比例した回転角度が得られるステッピングモーターが用いられ、モーターは金属の板を折り曲げて形成したベース部材３２に支持されている。ベース部材３２は、収納箱１１の内部に設けられた板状の台座１１ａの上面に載せられて固定されている。
【００２４】
リールテープ３１は、例えば薄い金属板や合成樹脂製のフィルムなどのシート状の部材によって形成されている。リールテープ３１の外周面には一定のピッチで複数の図柄が印刷されている。リールテープ３１はフレーム３０の外周に巻き付けられ、その長手方向の端部同士が重ね合わされて接着されている。
【００２５】
フレーム３０の内側には、表示窓１３を清掃する表示窓清掃装置３３が設けられている。表示窓清掃装置３３は、ブラシ（筐体清掃部材）３４、ソレノイド（筐体清掃用駆動装置）３５、ソレノイド３５を収納する収納ケース３６を備えている。
【００２６】
ブラシ３４は可撓性を有する材料で形成されており、ソレノイド３５の鉄心３５ａに取り付けられている。鉄心３５ａはソレノイド３５の駆動に伴って移動される。収納ケース３６は箱形に形成され、その内部の中空の部分にはソレノイド３５が収納されている。収納ケース３６には、断面の形状がＬ字形のブラケット３５ｂが３箇所に設けられている。ブラケット３５ｂの折れ曲がった先の先端部にはネジ３７が挿通され、ネジ３７はスポーク３０ａに取り付けられている。これにより、収納ケース３６がフレーム３０に取り付けられている。
【００２７】
フレーム３０のブラシ３４と対面する部分には孔３０ｂが形成されている。また、図５に示すように、リールテープ３１のブラシ３４と対面する部分には孔３１ａが形成されている。孔３０ｂ及び孔３１ａはブラシ３４を貫通させることが可能な大きさに形成されている。
【００２８】
フレーム３０には孔３０ｂと孔３１ａが一致するようにリールテープ３１が巻き付けられている。また、フレーム３０にはブラシ３４を孔３０ｂにガイドするガイド部材３０ｃが形成されている。ガイド部材３０ｃは、フレーム３０の内側から孔３０ｂにかけてその幅が次第に狭くなるように形成されている。
【００２９】
筐体１０ａ内には、スロットマシン１０の動作を制御して遊技を行うことを可能にするメイン制御基盤（制御装置）３８が設けられている。メイン制御基盤３８が行う制御としては、例えば第１〜第３リール１４〜１６の停止制御も含まれる。第１〜第３リール１４〜１６の停止制御としては、ストップボタン２０〜２２が操作されたタイミングに応じて第１〜第３リール１４〜１６を停止させる停止制御に加えて、第１〜第３リール１４〜１６が回転している時間が所定時間（本実施形態では「４０秒」を例に説明する）に達したときに第１〜第３リール１４〜１６を停止させる停止制御も含まれる。ソレノイド３５は、メイン制御基盤３８によって、その駆動が制御される。また、電源スイッチ２５ａがオン又はオフされると、電源スイッチ２５ａが操作されたことを示す操作信号がメイン制御基盤３８に入力される。これに応答して、メイン制御基盤３８はソレノイド３５及び後述するソレノイド４２の駆動を制御する。
【００３０】
第１リール１４の前方には、表示窓１３と対面するように反射型センサ（汚れ検知センサ）３９が設けられている。反射型センサ３９は、表示窓１３に光を投光するとともに、表示窓１３で反射した光を受光する。反射型センサ３９で光を受光したことを示す受光信号はメイン制御基盤３８に入力される。
【００３１】
メイン制御基盤３８は、反射型センサ３９が受光した光の照度を常時監視しており、反射型センサ３９の照度が予め設定された値に達しなくなったか否かを判定することによって、表示窓１３の内側の面の汚れを検出する。
【００３２】
表示窓１３の内側の面が汚れており、表示窓１３で反射する光の光量が増加して反射型センサ３９で受光した光の照度が予め設定された値に達した場合には、メイン制御基盤３８は、鉄心３５ａが突出するようにソレノイド３５の駆動を制御する。これにより、図４に示すように、ブラシ３４が孔３０ｂと孔３１ａとから第１リール１４の外部に突出し、ブラシ３４が筐体１０の内周面の一部である表示窓１３の内側の面に接触することが可能になる突出位置に移動する。なお、ブラシ３４の長さは、ブラシ３４が第１リール１４とともに回転しても表示窓１３の内側の面に余裕を持って届く程度の長さに設定することが好ましい。
【００３３】
表示窓１３の内側の面に汚れがなく、表示窓１３で反射する光の光量が減少して反射型センサ３９で受光した光の照度が予め設定された値に達しなくなった場合には、メイン制御基盤３８は、鉄心３５ａが引き込まれるようにソレノイド３５の駆動を制御する。これにより、ブラシ３４が突出位置から退避してブラシ３４が表示窓１３の内側の面に接触することが不可能になる退避位置（図３に示す位置）に移動する。
【００３４】
第１リール１４の下方には、リールテープ３１の外周面に接触してリールテープ３１の外周面を清掃するリール清掃装置４０が設けられている。リール清掃装置４０は、ブラシ３４と同様の構成のブラシ（リール清掃部材）４１、ソレノイド３５と同様の構成のソレノイド（リール清掃用駆動装置）４２、収納ケース４３を備えている。
【００３５】
ブラシ４１は、ソレノイド４２の鉄心４２ａに取り付けられている。ブラシ４１及びソレノイド４２はブラシ３４及びソレノイド４２と同様の構成であるため、それぞれの部材の詳しい説明は省略する。
【００３６】
収納ケース４３は板状の部材を折り曲げて升形に形成されている。収納ケース４３の内部の中空の部分にはソレノイド４２が収納されている。収納ケース４３はネジ４４によってベース部材３２に取り付けられている。
【００３７】
ベース部材３２には、リール清掃装置４０のソレノイド４２が収納されている部分と対面するように孔３２ｂ及びガイド部材３０ｃと同様のガイド部材４３ｂが形成されている。ソレノイド４２が収納された状態で収納ケース４３がベース部材３２に取り付けられると、ブラシ４１が孔４３ａと対面する。ソレノイド４２もソレノイド３５と同様に、メイン制御基盤３８によって、その駆動が制御される。ソレノイド４２は、ブラシ４１がリールテープ３１の外周面に接触することが可能になる接触位置（図３に示す位置）と、ブラシ４１が接触位置から退避してリールテープ３１の外周面に接触することが不可能になる接触不能位置（図４に示す位置）との間でブラシ４１が移動するようにソレノイド４２の駆動を制御する。
【００３８】
次に、図６及び図７に示すフローチャートを用いて、上記構成によるスロットマシン１０の作用について説明する。スロットマシン１０の電源スイッチ２５ａがオンされると、メイン制御基盤３８は、リール清掃装置４０を駆動し、接触位置に位置しているブラシ４１を接触不能位置に移動させる。また、これと同時に、メイン制御基盤３８は、表示窓清掃装置３３を駆動し、退避位置に位置するブラシ３４を突出位置に移動させる。これにより、ブラシ３４が表示窓１３の内側の面に接触することが可能な状態となり、ブラシ４１は第１リール１４の外周面に接触することが不可能な状態となる。
【００３９】
この後、例えば遊技場の従業員などがメダルをメダル投入口１７に投入し、スタートレバー１９を操作すると、第１〜第３リール１４〜１６が回転を開始する。図８及び図９に示すように、第１〜第３リール１４〜１６が回転すると、ブラシ３４の先端部が表示窓１３の内側の面に接触した状態で表示窓１３の上端から下端にかけて移動する。これにより、表示窓１３の内側の面の清掃が行われる。
【００４０】
第１リール１４〜１６が回転を開始してから４０秒経過した場合、又は、ストップボタン２０〜２２が操作された場合は、メイン制御基盤３８は第１〜第３リール１４〜１６の回転を停止させる。そして、メイン制御基盤３８は、リール清掃装置４０を駆動し、接触不能位置に位置しているブラシ４１を接触位置に移動させる。また、これと同時に、メイン制御基盤３８は、表示窓清掃装置３３を駆動し、突出位置に位置するブラシ３４を退避位置に移動させる。これにより、遊技を行うことが可能な状態となる。
【００４１】
遊技を行うことが可能な状態では、ブラシ４１がリールテープ３１の外周面に接触しているため、遊技者が遊技を行って第１〜第３リール１４〜１６が回転すると、遊技の最中にリールテープ３１の外周面の清掃が行われる。
【００４２】
そして、メイン制御基盤３８は、表示窓１３の内側の面が汚れており、表示窓１３で反射する光の光量が増加して反射型センサ３９で受光した光の照度が予め設定された値に達した場合には、ブラシ３４を退避位置から突出位置に移動させ、ブラシ４１を接触位置から接触不能位置に移動させる。これにより、遊技が行われると同時に表示窓１３の内側の面の清掃が行われるため、表示窓１３を常に清潔に保つことができる。また、リールテープ３１から突出したブラシ３４は非常に目立つため、ブラシ３４を目安にタイミングを図ってストップボタン２０〜２２を押下すれば、第１〜第３リール１４〜１６を任意の位置で停止させやすくなる。
【００４３】
なお、詳しくは図示しないが、ブラシ３４及びブラシ４１によって清掃された際に発生して落下した埃や塵などを回収するトレーを筐体１０ａ内に設けることが好ましい。これにより、清掃の際に発生した埃や塵を容易に回収することができる。
【００４４】
また、メイン制御基盤３８は、表示窓１３の内側の面に汚れがなく、表示窓１３で反射する光の光量が減少して反射型センサ３９で受光した光の照度が予め設定された値に達しなくなった場合には、ブラシ３４を突出位置から退避位置に移動させ、ブラシ４１を接触不能位置から接触位置に移動させる。以降、スロットマシン１０の電源がオフされるまで同様の繰り返される。
【００４５】
上記実施形態では、筐体清掃用駆動装置としてソレノイド３５、リール清掃用駆動装置としてソレノイド４２を用いたが、各駆動装置はソレノイドに限らず適宜の装置を用いてよい。
【００４６】
この場合、筐体清掃用駆動装置又はリール清掃用駆動装置として、例えば図１０に示すような、駆動装置５０を用いてもよい。駆動装置５０では、箱形の収納ケース５１に、ラック５２、ピニオン５３、モーター５４が収納されている。ラック５２は収納ケース５１内に設けられたシャフト５１ａに挿通され、図中の矢印Ａ方向に移動自在に設けられている。ラック５２には先端にブラシ（図示せず）が取り付けられているブラシ保持部材５２ａが一体に設けられている。ブラシ保持部材５２ａは収納ケース５１に形成された孔から外部に突出している。
【００４７】
ピニオン５３は、シャフト５１ａと直交するように設けられたシャフト５１ｂに挿通され、図中の矢印Ｂ方向に回動自在に設けられている。ラック５２とピニオン５３とは互いに形成された歯が噛み合っている。シャフト５１ｂはモーター５４に接続されている。
【００４８】
モーター５４は、メイン制御基盤３８によってその駆動が制御される。メイン制御基盤３８がモーター５４を駆動させると、ピニオン５３が図中反時計方向に回転する。ピニオン５３の回転に伴ってラック５２が図中右方向に移動すると、ブラシ保持部材５２ａが収納ケース５１外部に突出されるため、ブラシを突出位置又は接触位置に移動させることができる。ピニオン５３が図中時計方向に回転すると、ラック５２が図中左方向に移動してブラシ保持部材５２ａが収納ケース５１内に収納されるため、ブラシを退避位置又は接触不能位置に移動させることができる。
【００４９】
上記実施形態では、反射型センサ３９を用いて表示窓１３の汚れを検出することによって、ブラシ３４を退避位置から突出位置に移動させたが、ブラシ３４を駆動させるタイミングは例えば所定時間ごと、所定回数遊技が行われるごとなど適宜のタイミングにしてよい。
【００５０】
ブラシ３４を退避位置から突出位置に移動させるタイミングとしては、例えば、ブラシ３４を退避位置から突出位置に移動させることを指示する清掃ボタンを設け、この清掃ボタンが操作されたときにしてもよい。これにより、任意のタイミングで表示窓１３の清掃を行うことが可能になる。
【００５１】
この場合、例えば図１１に示すように、清掃ボタン（操作部）６０を電源ボックス３５の前面に追加して設ければよい。清掃ボタン６０が操作されたことを示す操作信号はメイン制御基盤３８に入力される。遊技場の従業員が清掃ボタン６０を押下すると、メイン制御基盤３８は、ブラシ３４を退避位置から突出位置に移動させ、ブラシ４１を接触位置から接触不能位置に移動させる。この状態で、リールが回転されて停止すると、メイン制御基盤３８は、接触不能位置に位置しているブラシ４１を接触位置に移動させ、突出位置に位置するブラシ３４を退避位置に移動させる。
【００５２】
上記実施形態では、ブラシ３４及びブラシ４１をそれぞれ１個ずつ設けたが、ブラシを設ける個数は適宜個数にしてよい。また、清掃する箇所は表示窓１３の内側の面に限らず、筐体１０ａの内部であれば適宜箇所を清掃してよい。さらには、筐体清掃部材及びリール清掃部材としては、ブラシに限らず、例えばスポンジなど適宜の部材を用いてよい。
【００５３】
上記実施形態では、反射型センサ３９を用いて表示窓１３の汚れを検出したが、図１２に示すように、表示窓１３の外側に配置された発光素子７０及び表示窓１３の内側に配置された受光素子７１からなる透光型センサ（汚れ検知センサ）７２を用いて表示窓１３の汚れを検出してもよい。
【００５４】
この場合、例えば表示窓１３の外周面に発光素子７０を取り付ける。また、表示窓１３を介して発光素子７０と対面するように受光素子７１を表示窓１３の内側に配置する。受光素子７１はメイン制御基盤３８に接続されている。メイン制御基盤３８は、表示窓１３の内側の面が汚れており、表示窓１３を透過する光の光量が減少して受光素子７１で受光した光の照度が予め設定された値に達しなくなった場合には、ブラシ３４を退避位置から突出位置に移動させ、ブラシ４１を接触位置から接触不能位置に移動させる。これにより、表示窓１３の内側の面の清掃が可能な状態となる。また、メイン制御基盤３８は、表示窓１３の内側の面に汚れがなく、表示窓１３を透過する光の光量が増加して受光素子７１で受光した光の照度が予め設定された値に達した場合には、ブラシ３４を突出位置から退避位置に移動させ、ブラシ４１を接触不能位置から接触位置に移動させる。これにより、リールテープ３１の外周面の清掃は可能な状態となる。
【産業上の利用可能性】
【００５５】
本発明は、スロットマシンに限らず、リールを用いるパチンコ機など、他の遊技機にも適用することができる。
【図面の簡単な説明】
【００５６】
【図１】スロットマシンの外観を示す斜視図である。
【図２】スロットマシンの内部構成を示す斜視図である。
【図３】表示窓清掃装置のブラシが退避位置、リール清掃装置のブラシが接触位置に位置する状態を示す断面図である。
【図４】表示窓清掃装置のブラシが突出位置、リール清掃装置のブラシが接触不能位置に位置する状態を示す断面図である。
【図５】リールテープの正面図である。
【図６】表示窓清掃装置及びリール清掃装置を動作させる際の制御の流れを示すフローチャートである。
【図７】表示窓清掃装置及びリール清掃装置を動作させる際の制御の流れを示すフローチャートである。
【図８】リールが回転したときに、表示窓清掃装置のブラシが表示窓の内周面の上端に接している状態を示す断面図である。
【図９】リールが回転したときに、表示窓清掃装置のブラシが表示窓の内周面の下端に接している状態を示す断面図である。
【図１０】ソレノイド以外の駆動装置を用いた場合の実施形態の説明図である。
【図１１】ブラシを退避位置から突出位置に移動させることを指示する操作部を設けた場合の実施形態の説明図である。
【図１２】汚れ検知センサとして透光型センサを用いた場合の実施形態の説明図である。
【符号の説明】
【００５７】
１０  スロットマシン
１３  表示窓
１４  第１リール
１５  第２リール
１６  第３リール
３１  リールテープ
３４  ブラシ（筐体清掃部材）
３５  ソレノイド（筐体清掃用駆動装置）
３８  メイン制御基盤（制御装置）
３９  反射型センサ（汚れ検知センサ）
４１  ブラシ（リール清掃部材）
４２  ソレノイド（リール清掃用駆動装置）
６０  清掃ボタン（操作部）
７２  透光型センサ（汚れ検知センサ）
【図１】
2005237445.tif 000003
【図２】
2005237445.tif 000004
【図３】
2005237445.tif 000005
【図４】
2005237445.tif 000006
【図５】
2005237445.tif 000007
【図６】
2005237445.tif 000008
【図７】
2005237445.tif 000009
【図８】
2005237445.tif 000010
【図９】
2005237445.tif 000011
【図１０】
2005237445.tif 000012
【図１１】
2005237445.tif 000013
【図１２】
2005237445.tif 000014